(57)【特許請求の範囲】
【請求項１】
本体前方に配された給紙部と、本体筐体内底面付近が通紙面となる通紙部と、本体後方に内蔵したプリンタと、を備える電子機器において、
前記通紙面に配された開口部と、
通紙面を形成する通紙方向に平行な複数のリブを有し、着脱または回動により前記開口部を開閉可能な蓋と、
前記本体前方に引き出し可能な給紙トレイと、
前記給紙トレイに配され、前記給紙トレイを収納する際に前記蓋のリブを逃げるスリットと、
前記給紙トレイを引き出す際に、前記スリット内に前記リブの一部が入り込んだ位置で前記給紙トレイを係止する係止手段と、
を備えることを特徴とする電子機器。
【請求項２】
用紙の通紙方向に対して前記開口部の下流側に前記蓋のリブを逃げるスリットを有する第２の通紙面と、該通紙面の下側に配され、前記給紙トレイを収納する際に前記給紙トレイの後端を受ける受け部と、を備えることを特徴とする請求項１に記載の電子機器。
【請求項３】
前記給紙トレイの後端の上面に勾配を設けたことを特徴とする請求項２に記載の電子機器。
【請求項４】
前記給紙トレイの略前端に摩擦手段を設けたことを特徴とする請求項１に記載の電子機器。
【請求項５】
前記摩擦手段は、前記給紙トレイの略前端に設けられた凸部と、前記凸部に貼り付けた摩擦部材であることを特徴とする請求項４に記載の電子機器。
【請求項６】
前記給紙トレイを収納する際に、前記摩擦部材を前記通紙部の天面に接触させることを特徴とする請求項５に記載の電子機器。
【請求項７】
前記給紙トレイを引き出して用紙をセットする際に、前記摩擦部材が前記天面との接触部以外で用紙と接触することを特徴とする請求項６に記載の電子機器。
【請求項８】
第１の筐体と、該第１の筐体と電気的接続手段で接続された第２の筐体と、からなる電子機器であって、
前記第１の筐体は、
情報を入力する入力手段と、
前記入力手段に入力された情報を記憶する記憶手段と、
前記記憶手段に記憶された情報を表示する表示手段と、
前記記憶手段に記憶された情報を前記電気接続手段を介して前記第２の筐体に出力するための出力手段と、を有し、
前記第２の筐体は、
本体前方に配された給紙部と、
本体筐体内底面付近が通紙面となる通紙部と、
本体後方に内蔵され、前記第１の筐体から出力された情報を受信して印刷を実行するプリンタと、
前記通紙面に配された開口部と、
通紙面を形成する通紙方向に平行な複数のリブを有し、着脱または回動により前記開口部を開閉可能な蓋と、
前記本体前方に引き出し可能な給紙トレイと、
前記給紙トレイに配され、前記給紙トレイを収納する際に前記蓋のリブを逃げるスリットと、
前記給紙トレイを引き出す際に、前記スリット内に前記リブの一部が入り込んだ位置で前記給紙トレイを係止する係止手段と、
を備えることを特徴とする電子機器。
【発明の詳細な説明】
【０００１】
【発明の属する技術分野】
本発明はプリンターを内蔵した電子機器に関するものである。
【０００２】
【従来の技術】
プリンターを内蔵した電子機器として、日本語ワードプロセッサー（以下ＷＰと記す。）やノート型パソコン等が知られている。
【０００３】
従来、これら電子機器はプリンターを本体後方に内蔵しその上面に給紙口と排紙口を設けそれらを回動可能な蓋で覆っており、印刷時この蓋を開き給紙トレイとして給紙していた。
【０００４】
また、給紙カセットに印刷用紙を入れ本体下部内に挿入し、本体後方に内蔵したプリンターに給紙していた。
【０００５】
また、入力装置であるキーボード上に紙を置き、キーボードの後方に設けられた給紙口に紙を挿入し、本体後方に内蔵したプリンターに給紙していた。
【０００６】
また、入力装置であるキーボードを回動により開閉可能とし、印刷時はキーボードを開き、キーボードの下の通紙面に紙を置き、通紙面後方に設けられた給紙口に紙を挿入して、本体後方に内蔵したプリンターに給紙していた。
【０００７】
【発明が解決しようとする課題】
近年になりパソコンのオペレーションシステムもプラグ＆プレイ対応（周辺機器の活電挿抜）が一般的となり、外出時必要最小限の機能を持ったノート型パソコン本体と機能拡張用のドッキングステーションが簡単に着脱できるようになった。
【０００８】
さらに、ノート型パソコン本体とドッキングステーションがほぼ同サイズで上下に重なるように接続した際に、デザイン的にもノート型パソコンとして一体感をもったものが普及している。
【０００９】
これらドッキングステーションの拡張機能として、CD−ROMドライブ、大音量ステレオスピーカ、セカンドバッテリー、ポートリプリケータ用I／Fコネクタ、プリンター等があげられる。
【００１０】
しかしながら、ドッキングステーションにプリンターが内蔵された場合、上面にノート型パソコンが装着されるため給排紙口を機器上面に設けることができない。
【００１１】
また、給紙カセットを機器下面に内蔵するとドッキングステーションが大きくなってしまい、一体感を持ったデザインができなくなる。また、給紙部で紙詰まりが発生した時、無理矢理給紙カセットを引き抜かないと下面より紙を取り出すことができず、紙を傷つける可能性が高かった。
【００１２】
【課題を解決するための手段】
上記の問題点を解決するために、本発明の電子機器は、本体前方に配された給紙部と、本体筐体内底面付近が通紙面となる通紙部と、本体後方に内蔵したプリンタと、を備える電子機器において、前記通紙面に配された開口部と、通紙面を形成する通紙方向に平行な複数のリブを有し、着脱または回動により前記開口部を開閉可能な蓋と、前記本体前方に引き出し可能な給紙トレイと、前記給紙トレイに配され、前記給紙トレイを収納する際に前記蓋のリブを逃げるスリットと、前記給紙トレイを引き出す際に、前記スリット内に前記リブの一部が入り込んだ位置で前記給紙トレイを係止する係止手段と、を備えることを特徴とする。
【００２８】
【発明の実施の形態】
（第１の実施形態）
以下に、添付図面を参照して本発明の第１の実施形態について具体的に説明する。
【００２９】
図１、図２は本第１の実施形態に係る電子機器を示した外観斜視図である。同図において、１は、プリンター内蔵の機能拡張用ドッキングステーションであり、上面には、ノート型パソコン２が装着され、不図示の部分で電気的、機構的に接続されている（図１８参照）。
【００３０】
また、図３、図５、図７は、ドッキングステーション１の通紙面を上から見た水平断面図であり、図４、図６、図８は、ドッキングステーション１とノート型パソコン２が接続された状態の横断面図である。
【００３１】
それでは、ノート型パソコン２とドッキングステーション１の構成について詳しく説明していくことにする。
【００３２】
まず、ノート型パソコン２の構成として、図１、図２において、３はノート型パソコン２の表示手段である液晶表示器、４はノート型パソコン２の電源スイッチ、５はノート型パソコン２の入力手段であるキーボード、６はノート型パソコン２のポインティングデバイス、７はノート型パソコン２の電源であるバッテリー、８はノート型パソコン２の外部記憶装置であるフロッピーディスクドライブである。また、図４、図６、図８において９は、ノート型パソコン２のもう一つの外部記憶装置であるハードディスクドライブ、１０は、電源供給や各種制御等を行うメイン基板であり、それぞれ不図示の部分でノート型パソコン２の内部に固定されている。メイン基板１０は、不図示の部分にドッキングステーションとの接続コネクターを含む外部接続用Ｉ／Ｆコネクターが実装されており、また、他の部分では、前述した内部デバイス等とケーブル等で電気的に接続されている（図１８参照）。
【００３３】
次に、ドッキングステーション１の構成として、図１から図８において、１１は電源として使用時間を延ばすためのセカンドバッテリーでありノート型パソコン２のバッテリー７と共通である。１２は、ＣＤ−ＲＯＭドライブ、１３は電源供給や各種制御等を行うメイン基板であり、１４はプリンターで、１４ａは自動給紙装置（以下，ＡＳＦと記す。）であり、１５はドッキングステーション１のケースである。メイン基板１３は、不図示の部分でケース１５の内部に固定され、ノート型パソコン２との接続コネクターを含む外部接続用Ｉ／Ｆコネクターが実装されており、また、他の部分では、前述した内部デバイス等とケーブル等で電気的に接続されている（図１８参照）。
【００３４】
また、１６は、給紙トレイであり、先端付近には摩擦パッド１７貼り付け用凸部１６ａ、手前側両端にはロック爪１６ｂ、通紙面の両端にストッパーを兼ねたガイド１６ｃ、後方にリブ逃げスリット１６ｄ、後端に勾配１６ｅが設けられている。
【００３５】
給紙トレイ１６はケース１５に設けられたガイド受け１５ｃにガイド１６cを挿入することにより前後方向にスライド可能に取り付けられている。
【００３６】
摩擦パッド１７は、複数の紙を印刷する場合、紙と紙の間の摩擦より紙と給紙トレイ１６の通紙面の摩擦の方が小さいとき発生する紙の重送を防止するため、ゴム、エラストマー等摩擦の大きな材料を用い、両面テープ等で１６ａに貼り付けられている。
【００３７】
１８は、紙詰まり時、詰まった紙を取り出すためケース１５の底面に開けられた穴１５ａの蓋である。蓋１８は、内部に通紙面を形成するリブ１８ａが適当な間隔で設けられており、軸１８ｂによりケース１５に回動自在に取り付けられ、不図示の部分でケース１５にロックされている。
【００３８】
１９は、プリンター１４への給紙をガイドする給紙ガイドであり、不図示の部分でケース１５とプリンター１４に固定されている。
【００３９】
２０は、給紙トレイ１６に矢印方向にスライド可能に取り付けられた紙端ガイドであり、リブ２０aにより紙の右端をガイドする。
【００４０】
それでは、ノート型パソコン２とドッキングステーション１内部のハードウエア構成について、図１８を用いながら、更に詳しく説明する。
【００４１】
まず、ノート型パソコン２は、ＰＣＩバス３５、ＩＳＡバス３６、ローカルバス３７等のバスと、各バスを結ぶブリッジＩＣ３８、３９で、各ハードウエアが互いに接続されており、キーボード５やポインティングデバイス６から情報が入力される。入力された情報に基づいて、ＲＯＭ３２に格納されたコンピュータプログラムに従い、ＣＰＵ３１がＲＡＭ３３上で所望の処理を行い、導出された結果をフロッピーディスクドライブ８に装着されたフロッピーディスクやハードディスクドライブ９に保存する。また、その結果を液晶表示器３で表示したり、ドッキングステーション１で印刷するために外部接続用インターフェース３４を介して情報をドッキングステーション１に送信する。
【００４２】
また、ドッキングステーション１は、ＰＣＩバス４５、ＩＳＡバス４６等のバスと、各バスを結ぶブリッジＩＣ４７で、各ハードウエアが互いに接続されており、外部接続用インターフェース４４を介してノート型パソコン２から情報を受け取る。受け取られた情報は、ＲＯＭ４２に格納されたコンピュータプログラムに従い、ＣＰＵ４１によってＲＡＭ４３上で処理され、その処理結果がプリンター１４から印刷出力されることになる。その際、印刷出力用の用紙は、ＡＳＦ１４aによって紙送りされる。そして、紙詰まりなどが起きた場合は、エラーメッセージがノード型パソコン２に送られ、その旨が液晶表示器３に表示される。
【００４３】
次に、通紙部構造の詳細を以下に記す。
【００４４】
図１、図３、図４は、印刷しない状態を示す。給紙トレイ１６はロック爪１６ｂがケースのフック１５ｂに係合し、ケース１５内に収納、固定されている。
【００４５】
この時スリット１６ｄはリブ１８ａをすべて逃げるように形成され、給紙トレイ１６の収納を阻害しない。同様に、穴１５ａ後端に設けられた通紙面１５ｅにもスリット１５dがリブ１８ａをすべて逃げるように形成されており、蓋１８の開閉においてもリブ１８ａが給紙トレイ１６やケース１５にぶつかる事はない。
【００４６】
また、収納時、給紙トレイ１６の後端と通紙面１５ｅの下面に設けられたトレイ受け１５ｆは、上下に重なる位置に配設されており、図１や図４のように液晶表示器３を閉じて持ち運ぶとき等、底面を押しても給紙トレイ１６はトレイ受け１５ｆで受けられるため、蓋１８と供に穴１５aをふさぎ、底面は二重構造となり、底面のぱくつきを抑える。
【００４７】
図２、図５、図６は、前記の状態からロック爪１６ｂを外側に広げる事によりロック解除し、ガイド１６ｃがガイド受け１５cの前端に突き当たるまで給紙トレイ１６を引き出した状態であり、同図は、印刷可能な状態である。（図において、液晶表示器３は開かれているが、閉じていても印刷は可能である。）
【００４８】
用紙のセット方法を以下に記す。給紙トレイ１６を引き出す事によりセカンドバッテリー１１との間に給紙口が形成される。印刷用紙を、図６の矢印aより、図５の紙端ガイド１６ｆ、１５ｈに紙の左端を突き当てながら挿入し、矢印ｄ先端付近でＡＳＦ１４ａに設けられた紙ストッパー（不図示）に突き当たるまで挿入する。
【００４９】
紙挿入時において、第一の通紙面である給紙トレイ１６から第二の通紙面であるリブ１８aへ紙端が通過する（矢印b）とき、スリット１６ｄ内にリブ１８ａの先端が入り込んだ状態で、リブ１８aの先端は給紙トレイ１６の通紙面よりひくく形成されているため、紙端がリブ１８ａ先端に突き当たり紙詰まりを起こすことはない。次に、第二の通紙面であるリブ１８aと第三の通紙面１５ｅの継目を紙端が通過する（矢印ｃ）とき、紙端がリブ１８aより多少垂れ下がっていても、通紙面１５ｅに補正され、紙端がつまることなくスムーズに通過できる。
【００５０】
紙挿入の次に、紙の右端にリブ２０ａを突き当てるように給紙ガイド２０を移動させる。以上により用紙セットは完了である。
【００５１】
この後、ノート型パソコンからの印刷命令により前記紙ストッパーは解除され、ASF１４aにより紙は順次プリンター１４に給紙され、印刷し、排紙口１５gより排紙される。（矢印ｅ）
【００５２】
印刷中、逆送りする事があっても、挿入時と同様に紙端は詰まる事はない。例えば、矢印ｆにおいて、紙端がリブ１８a上面より多少垂れ下がっても、勾配１６ｅに補正され紙端が、給紙トレイ１６の後端に突き当たることはない。
【００５３】
また、印刷が終わり給紙トレイ１６を収納するとき、給紙トレイ１６の後端には勾配１６ｅが設けられているため、トレイ受け１５ｆの下面にスムーズに挿入される。
【００５４】
図７、図８は、紙詰まり処理のため、蓋１８を開けた状態を示す。蓋１８は紙が挿入されていても開ける事ができ、穴１５ａより紙が直接触れるため、カセット給紙に比べ、紙を傷つける可能性が低くなる。
【００５５】
図９、図１０に本実施形態における給紙トレイ先端付近に設けられた摩擦パッド部の詳細図を示す。
【００５６】
図９は、給紙トレイ１６収納時であり、摩擦パッド１７は１７ｂにおいて、通紙部天面であるセカンドバッテリー１１の下面に接している。このため、持ち運ぶ時など底面を押しても給紙トレイ１６の先端付近のパクツキを抑えることが出来る。
【００５７】
図１０は、給紙トレイ１６を引き出し、用紙２１をセットした状態を示す。用紙２１は摩擦パッド１７の１７ａに接触することにより、重送を防止する。このとき、セカンドバッテリー１１に接触する１７ｂは、用紙２１とは接触しないため、給紙トレイ１６の出し入れにより、１７ｂの表面が劣化しても紙送りに影響を与えない。
【００５８】
（第２の実施形態）
次に、図１１、図１２を参照に本発明の第２の実施形態について説明する。
【００５９】
図１１は、印刷用紙２１をセットするために給紙トレイ１６を所定の位置まで引き出した状態を示す。
【００６０】
ここで２２は、上面から前面に摩擦パッド１７を貼り付けたパッドホルダーである。パッドホルダー２２は、軸２２aにより給紙トレイ１６に回動可能に取り付けられ、不図示の部分でバネ等で上方向に付勢され、図１１に示すような所定位置で止まるように構成されている。摩擦パッド１７貼付け部と軸２２ａを挟んだ反対端には、回動規制用凸部２２ｂが設けられており、ケース１５の給紙トレイ１６との突き当て面には、勾配１５ｉが形成されている。
【００６１】
用紙２１は、セットされると摩擦パッド１７ａに接触し用紙２１の重送を防止する。この時、用紙２１の重さよりパッドホルダー２２を上に上げる付勢力のほうが強く設定されており、パッドホルダー２２が下げられることはない。
【００６２】
次に、給紙トレイ１６を収納した状態を図１２に示す。
【００６３】
給紙トレイ１６を収納するとパッドホルダー２２は、凸部２２ｂが勾配１５ｉに突き当たる事により、矢印ｇ方向に回転し図１２の位置に固定収納される。このとき、給紙トレイ１６の先端１６ｇはセカンドバッテリー１１の底面に突き当たり、摩擦パッド１７の劣化を防ぐとともに給紙トレイ１６のパクツキを抑える。
【００６４】
（第３の実施形態）
次に、図１３、図１４を参照に本発明の第３の実施形態について説明する。
【００６５】
図１３、図１４は、図１１、図１２と構成はほぼ同じである。相違点として、パッドホルダー２２には通紙面２２ｃが設けられている。
【００６６】
図１３においてパッドホルダー通紙面２２ｃと給紙トレイ１６は段差も小さく連続した通紙面を形成しており、矢印ｈのような用紙の逆送り時においても、スムーズに紙送りできる。
【００６７】
図１４においてパッドホルダー２２は、図１２同様固定収納される。このとき給紙トレイ先端部１６ｇと供に通紙面２２ｃが、セカンドバッテリー１１の底面に突き当たるためケース１５の底面をさらに補強する。
【００６８】
（第４の実施形態）
次に、図１５、図１６を参照に本発明の第４の実施形態について説明する。
【００６９】
図１５、図１６は、ドッキングステーション１とノート型パソコン２が接続された状態の横断面図である。
【００７０】
同図において、２３は脚であり、軸２３ａによりドッキングステーション１の底面先端付近に回動可能に取り付けられている。ケース１５の底面後端付近には脚２３に応じた凸量で凸１５ｊが形成されており、凸１５ｊの前端には勾配１５ｋが形成されている。蓋１８をケース１５に回動可能に指示する軸１８bは、蓋１８の後端付近に設けられている。
【００７１】
その他の構成は、第１の実施形態と同じである。
【００７２】
図１５は、給紙トレイ１６を引き出し、通常の用紙を印刷する状態を示す。ここで、脚２３と凸１５jにより、水平状態は保たれ第１の実施形態と同様に印刷を行える。
【００７３】
図１６は、蓋１８と脚２３を開いた状態を示す。蓋１８の底面が勾配１５kに突き当たりリブ１８ａは、脚となり脚２３と供にドッキングステーション１を水平状態のまま上に持ち上げる。蓋１８と脚２３は不図示の部分でクリック爪等により図１５および図１６の２つの位置で係合され軽く保持されている。これにより、ドッキングステーション１の下に空間が形成され、葉書のような短票も穴１５ａから矢印ｉ方向に手差しすることにより、印刷することが出来る。
【００７４】
（第５の実施形態）
次に、図１７を参照に本発明の第５の実施形態について説明する。
【００７５】
２５は、葉書等の短票２４を連続して給紙するための短票フィーダーである。ここで２５ａは、給紙ローラー、２５ｂは、短票２４を給紙ローラー２５ａに押し付けるための紙押さえバネである。また、不図示の部分に給紙ローラー２５ａの動力となるモーターと、電力を得るためのコネクター部が配設されている。
【００７６】
図１７は、図１６においてドッキングステーション１の下に形成された空間に、短票２４がセットされた短票フィーダー２５を接続した状態を示す。短票フィーダー２５は不図示の部分でドッキングステーション１と電気的、機構的に接続されている。
【００７７】
ノート型パソコン２からの印刷命令により、給紙ローラー２５ａが回転し、矢印ｊ方向に短票２４を給紙する。短票２４は、ＡＳＦ１４ａにより分離され、順次、プリンター１４に送られ、印刷され、排紙口１５ｇより排紙される。
【００７８】
以上により連続で短票２４を印刷できる。
【００７９】
なお、上記第１から第５の実施形態によれば、ノート型パソコンの機能拡張用ドッキングステーションの場合のみ述べたが、本発明は、これに限定されず、ワープロ、プリンター、ＦＡＸ等種々のプリンター内蔵の電子機器に適用可能なことは言うまでもない。
【００８０】
また、以上説明したように、本第１から第５の実施形態によれば、本体上面にノート型パソコン等が装着されても紙は本体前方より挿入でき、紙詰まりが発生しても蓋を開くだけで開口部より直接紙を触ることが出来る。
【００８１】
また、蓋上面と紙の接触面積を小さく出来、蓋上面への紙の張り付きを防げる。
【００８２】
また、給紙トレイを引き出すことにより、紙のセットが簡単になると共に、引き出し位置においても給紙トレイ後端のスリット内に蓋上面のリブが入り込んで連続した通紙面を形成しているため、紙を逆送りしても第一、第二の通紙面の継目で紙詰まりをおこさない。
【００８３】
また、第三の通紙面に設けられたスリット内にリブが入り込み連続した通紙面を形成するため、蓋と第三の通紙面の継目での紙詰まりを防ぐとともに、給紙トレイ収納時、給紙トレイにより開口部を塞ぎ電子機器下面からの力も受けられ電子機器下面の補強になる。
【００８４】
また、蓋のリブより垂れ下がった紙が逆送りされてきても給紙トレイ後端の勾配に導かれ、紙詰まりを防ぐ事が出来る。また、給紙トレイの収納時、後端に勾配があるため受け部に後端が突き当たらずスムーズに収納出来る。
【００８５】
また、複数の紙を印刷するとき、プリンターに設けられた自動給紙機構による重送を防ぐことが出来る。また、摩擦手段が手前にあるため用紙セットも簡単に行える。
【００８６】
また、摩擦手段の形状が簡単化され、組み立ても簡単で、コストを低減することが出来る。
【００８７】
また、給紙トレイ引き出し時通紙部を確保し、収納時には給紙トレイのパクツキを抑え電子機器下面の更なる補強となる。
【００８８】
また、摩擦部材の天面接触部が劣化しても紙送り機能に影響を与えない。
【００８９】
また、給紙トレイ収納時先端部の凸部を小さく出来、本体の小型化が出来るとともに、摩擦部材は天面に接しなくとも済み、摩擦部材の劣化を防ぐことが出来る。
【００９０】
また、印刷中の逆送りにおいてスムーズに紙を摩擦パッドに導くことが出来る。また、給紙トレイ収納時、移動部材が通紙部天面に接し本体下面のさらなる補強となる。
【００９１】
また、蓋を開くことにより葉書などの短票でも開口部より手差しにて給紙出来る。
【００９２】
また、葉書フィーダー等を接続することにより、大量の印刷が簡単に出来る。
【００９３】
【発明の効果】
以上説明したように、本発明によれば、用紙のセット時や印刷時のみならず、逆送りにおいても紙詰まりしにくく、また、紙詰まりした場合でも、簡単に紙処理ができるので、紙を傷つけにくく、短票の印刷も可能となるといった効果がある。
【００９４】
また、携帯時の本体底面のパクツキを抑えつつ、小型軽量を実現することが可能となるといった効果がある。
【図面の簡単な説明】
【図１】本発明の第１実施形態の印刷しない状態の電子機器を示す外観斜視図である。
【図２】本発明の第１実施形態の印刷可能な状態の電子機器を示す外観斜視図である。
【図３】図１に示す電子機器の通紙面を上から見た水平断面図である。
【図４】図１に示す電子機器の横断面図である。
【図５】図２に示す電子機器の通紙面を上から見た水平断面図である。
【図６】図２に示す電子機器の横断面図である。
【図７】図５の電子機器の蓋１８を開いた状態を示す図である。
【図８】図６の電子機器の蓋１８を開いた状態を示す図である。
【図９】図４における給紙トレイ先端付近の詳細図である。
【図１０】図６における給紙トレイ先端付近の詳細図である。
【図１１】本発明の第２実施形態の印刷可能状態を示す給紙トレイ先端付近の横断面図である。
【図１２】本発明の第２実施形態の印刷しない状態を示す給紙トレイ先端付近の横断面図である。
【図１３】本発明の第３実施形態の印刷可能状態を示す給紙トレイ先端付近の横断面図である。
【図１４】本発明の第３実施形態の印刷しない状態を示す給紙トレイ先端付近の横断面図である。
【図１５】本発明の第４実施形態の普通紙の印刷可能状態を示す横断面図である。
【図１６】本発明の第４実施形態の短票印刷可能状態を示す横断面図である。
【図１７】本発明の第５実施形態の短票フィーダーを接続した状態を示す横断面図である。
【図１８】本発明の第１実施形態の電子機器内部のハードウェア構成を示す図である。
【符号の説明】
１  ドッキングステーション
２  ノート型パソコン
３  液晶表示器
４  電源スイッチ
５  キーボード
６  ポインティングデバイス
７  バッテリー
８  ＦＤＤ
９  ＨＤＤ
１０  メイン基板
１１  セカンドバッテリー
１２  ＣＤ−ＲＯＭドライブ
１３  メイン基板
１４  プリンター
１５  ケース
１６  給紙トレイ
１７  摩擦パッド
１８  蓋
１９  給紙ガイド
２０  紙端ガイド
２１  印刷用紙
２２  パッドホルダー
２３  脚
２４  短票
２５  短票フィーダー
３１  ＣＰＵ
３２  ＲＯＭ
３３  ＲＡＭ
３４  外部接続用インターフェース
３５  ＰＣＩバス
３６  ＩＳＡバス
３７  ローカルバス
３８  ブリッジＩＣ
３９  ブリッジＩＣ
４１  ＣＰＵ
４２  ＲＯＭ
４３  ＲＡＭ
４４  外部接続用インターフェース
４５  ＰＣＩバス
４６  ＩＳＡバス
４７  ブリッジＩＣ
【図１】
0003733198.tif 000002
【図２】
0003733198.tif 000003
【図３】
0003733198.tif 000004
【図４】
0003733198.tif 000005
【図５】
0003733198.tif 000006
【図６】
0003733198.tif 000007
【図７】
0003733198.tif 000008
【図８】
0003733198.tif 000009
【図９】
0003733198.tif 000010
【図１０】
0003733198.tif 000011
【図１１】
0003733198.tif 000012
【図１２】
0003733198.tif 000013
【図１３】
0003733198.tif 000014
【図１４】
0003733198.tif 000015
【図１５】
0003733198.tif 000016
【図１６】
0003733198.tif 000017
【図１７】
0003733198.tif 000018
【図１８】
0003733198.tif 000019